(57)【特許請求の範囲】
【請求項１】
浴室内壁と、浴槽上縁面におけるコーナー部を挟んで隣り合う一方の辺部の外縁との間の辺シール体の一端と、
浴室内壁と、浴槽上縁面における前記コーナー部を挟んで隣り合う他方の辺部の外縁との間の辺シール体の一端とを、
これら辺シール体をインサートとしたインサート成形によって形成させた、浴室内壁と浴槽上縁面における前記コーナー部の外縁との間の隅シール体を介して一体に接合させてなり、
三つの辺部を浴室内壁に接しさせるように据え付けられる浴槽に対応した三つの前記辺シール体と二つの隅シール体とを備えてなると共に、
前記隅シール体は、軟質のプラスチックによって構成されており、
さらに、前記辺シール体は、浴室内壁と浴槽上縁面との間の隙間に上方から押し込まれる取り付け脚部を備えており、
この取り付け脚部に、前記隙間に辺シール体の裏面が浴槽上縁面に接する位置までこの取り付け脚部を押し込みきったときに前記浴槽上縁面の外縁から垂直に下がる垂れ出し部の下端に掛合される掛合爪と、この垂れ出し部の外面に押しつけられる弾性リップとが備えられていることを特徴とするシール材。
【請求項２】
辺シール体が、隅シール体と同一の軟質のプラスチックによって構成されていることを特徴とする請求項１記載のシール材。
【請求項３】
隅シール体の外縁が、辺シール体の外縁に沿った仮想の直線よりも外側に位置されるようになっていることを特徴とする請求項１又は請求項２に記載のシール材。
【請求項４】
辺シール体の一端側の裏面を隅シール体によって覆うようにして隅シール体を形成させていることを特徴とする請求項１〜請求項３のいずれか１項に記載のシール材。
【請求項５】
押し出し成形により得られた辺シール体を浴槽の辺部の長さに合った長さに成形した後に、この辺シール体をインサートとした射出成形によって隅シール体を形成させることを特徴とした請求項１〜請求項４のいずれか１項に記載のシール材の製造方法。
【発明の詳細な説明】
【技術分野】
【０００１】
この発明は、浴室内においてこの浴室内壁に沿って据え付けられる浴槽と、この浴室内壁との間の隙間を塞ぐために用いられるシール材の改良、およびその製造方法に関する。
【背景技術】
【０００２】
軟質樹脂製の頂部と、硬質樹脂製の基部とを備え、この基部を浴槽と浴室内壁との間隙に基部を押し込ませて頂部によってこの間隙を塞ぐようにした目地材がある。（特許文献１参照）
【０００３】
しかるに、かかる目地材にあっては、直線的な浴槽の辺部の目地施工はできても、浴槽のコーナー部の目地施工はできない。このため、浴槽のコーナー部においては、このコーナー部の形状に倣った別の目地材を用意せざるを得なかった。また、この別の目地材は辺部の目地材と重ね代をとって取り付けるか、これをとらなければ両者の間に別途目地施工せざるを得なかった。このため、両者の表面を美しく連ねさせ難く、また、経時的に両者の接合箇所に汚れなどが付着し難く、さらには、経時的に両者の風合いが変化し一体感が損なわれるといった不具合があった。
【特許文献１】特開２００４−３５７９０３号公報
【発明の開示】
【発明が解決しようとする課題】
【０００４】
この発明が解決しようとする主たる問題点は、この種の浴室内壁と浴槽上縁面との間の隙間のシール材が、浴槽のコーナー部とこのコーナー部を挟んで隣り合う両辺部をそれぞれ、経時的にも意匠性を高く維持できる態様で、同時に塞ぐことができるようにする点にある。
【課題を解決するための手段】
【０００５】
前記課題を達成するために、この発明にあっては、シール材を、浴室内壁と、浴槽上縁面におけるコーナー部を挟んで隣り合う一方の辺部の外縁との間の辺シール体の一端と、
浴室内壁と、浴槽上縁面における前記コーナー部を挟んで隣り合う他方の辺部の外縁との間の辺シール体の一端とを、
これら辺シール体をインサートとしたインサート成形によって形成させた、浴室内壁と浴槽上縁面における前記コーナー部の外縁との間の隅シール体を介して一体に接合させてなり、
三つの辺部を浴室内壁に接しさせるように据え付けられる浴槽に対応した三つの前記辺シール体と二つの隅シール体とを備えてなると共に、
前記隅シール体は、軟質のプラスチックによって構成されており、
さらに、前記辺シール体は、浴室内壁と浴槽上縁面との間の隙間に上方から押し込まれる取り付け脚部を備えており、
この取り付け脚部に、前記隙間に辺シール体の裏面が浴槽上縁面に接する位置までこの取り付け脚部を押し込みきったときに前記浴槽上縁面の外縁から垂直に下がる垂れ出し部の下端に掛合される掛合爪と、この垂れ出し部の外面に押しつけられる弾性リップとが備えられているものとした。
【０００６】
かかるシール材によれば、浴室内壁と浴槽上縁面との間の隙間を、浴槽上縁面のコーナー部と、このコーナー部を挟んで隣り合う辺部とに亘って同時に塞ぐことができる。シール材は、辺シール体の表面と隅シール体の表面とに段差が生じないように、また、辺シール体の一端と隅シール体の接合端縁とをシール材の表側において一体化させることができ、両シール体を別体とした場合の両シール体の接合部への汚れの付着などの不具合を生じさせることがない。
【０００７】
前記隅シール体を、軟質のプラスチックによって構成させておけば、この隅シール体を介して接合させ合わされている辺シール体同士のなす角度ないし位置はシール材の設置が済むまでは固定的ではないものにでき、その設置作業における取り回しなどを容易なものとすることができる。
【０００８】
この場合さらに前記辺シール体を、隅シール体と同一の軟質のプラスチックによって構成させておけば、両者の間の風合いを経時的にも維持させることができる。
【０００９】
前記隅シール体の外縁が、辺シール体の外縁に沿った仮想の直線よりも外側に位置されるようにしておけば、アールを持った浴槽上端面のコーナー部とエッジ状をなす浴室内壁の内隅との間を適切に塞ぐことができる。
【００１０】
前記辺シール体の一端側の裏面を隅シール体によって覆うようにして隅シール体を形成させておけば、両者の表面側においては段差が生じないように両者を一体化させることができる。
【００１１】
これらのシール材は、押し出し成形により得られた辺シール体を浴槽上縁面の辺部の長さに合った長さに成形した後に、この辺シール体をインサートとした射出成形によって隅シール体を形成させることで、容易かつ適切に構成させることができる。
【発明の効果】
【００１２】
この発明にかかるシール材によれば、浴室内壁と浴槽のコーナー部との間の隙間および浴室内壁とこのコーナー部を挟んで隣り合う両辺部との間の隙間を、経時的にも意匠性を高く維持できる状態で、同時に塞ぐことができる。
【発明を実施するための最良の形態】
【００１３】
以下、図１〜図６に基づいて、この発明を実施するための最良の形態について説明する。
【００１４】
なお、ここで図１は、実施の形態にかかるシール材Ｍの使用状態を辺シール体１の打ち込み箇所において断面にして、また、図２〜図６はそれぞれかかるシール材Ｍを表しており、特に図２は浴槽上縁面Ｐａの外縁Ｐｂを想像線で表しながら、これに倣うように構成されたシール材Ｍを平面視の状態として示している。
【００１５】
この実施の形態にかかるシール材Ｍは、浴室内においてこの浴室内壁Ｗに沿って据え付けられる浴槽Ｐと、この浴室内壁Ｗとの間の隙間Ｓを塞ぐために用いられるものである。
【００１６】
かかる浴槽Ｐとしては、典型的には、平面視の状態において、浴槽上縁面Ｐａの外縁Ｐｂの輪郭形状を略長方形状としたものが予定される。また、かかるシール材Ｍは、典型的には、このように構成された浴槽Ｐの浴槽上縁面Ｐａにおけるコーナー部Ｐｃを挟んで隣り合う二つの辺部Ｐｄ、Ｐｄをそれぞれ浴室内壁Ｗに沿わせて据え付けられる浴槽Ｐの前記隙間Ｓ、あるいは三つの辺部Ｐｄ、Ｐｄ、Ｐｄをそれぞれ浴室内壁Ｗに沿わせて据え付けられる浴槽Ｐの前記隙間Ｓを塞ぐために用いられる。かかるシール材Ｍは、浴槽上縁面Ｐａのコーナー部Ｐｃの外縁Ｐｂと浴室内壁Ｗとの間の隙間Ｓ、およびこのコーナー部Ｐｃを挟んで隣り合う辺部Ｐｄの外縁Ｐｂと浴室内壁Ｗとの間の隙間Ｓの双方を、同時に塞ぐ浴槽上縁面Ｐａの外縁Ｐｂに倣うように形成された単一のシール材Ｍである。
【００１７】
すなわち、かかるシール材Ｍは、少なくとも二つの辺シール体１、1と、一つの隅シール体２とを備えてなるものである。
【００１８】
浴槽Ｐが、一つのコーナー部Ｐｃを挟んで隣り合う二つの辺部Ｐｄ、Ｐｄを浴室内壁Ｗに接しさせるようにして据え付けられる場合には、これに対するシール材Ｍは二つの辺シール体１、1と一つの隅シール体２とから構成される。
【００１９】
また、浴槽Ｐが、三つの辺部Ｐｄ、Ｐｄ、Ｐｄを浴室内壁Ｗに接しさせるようにして据え付けられる場合には、これに対するシール材Ｍは三つの辺シール体１、１、１と二つの隅シール体２、２とから構成される。
【００２０】
辺シール体１は、浴室内壁Ｗと、浴槽上縁面Ｐａにおけるコーナー部Ｐｃ間にある辺部Ｐｄの外縁Ｐｂとの間の隙間Ｓを塞ぐように構成される。かかる辺部Ｐｄの外縁Ｐｂは直線状をなし、したがって、辺シール体１も直線状をなすように構成される。（図２）
【００２１】
図示の例では、かかる辺シール体１は、板状をなすように構成されている。また、かかる辺シール体１は板状をなす取り付け脚部１０を備えている。取り付け脚部１０は辺シール体１の裏面１ｂであってこの辺シール体１の外縁１ｃと内縁１ｄとの間となる箇所に上端を一体に連接させて下方に突き出すように形成されている。辺シール体１の表面１ａおよび裏面１ｂはいずれもその内縁１ｄ側を下とし外縁１ｃ側を上とするように傾斜している。取り付け脚部１０は垂直方向に沿うように下方に延びている。取り付け脚部１０の下端であってその内面１０ａ（浴槽Ｐの外面に向けられる面）側には掛合面１０ｃを上方に向けた掛合爪１０ｂが形成されている。この掛合爪１０ｂの下部は下方に向かうに連れてこの掛合爪１０ｂの突き出し寸法を次第に小さくする傾斜面１０ｄとなっている。辺シール体１の内縁１ｄ側の裏面１ｂとこの掛合面１０ｃとの間のピッチは、浴槽上縁面Ｐａとこの浴槽上縁面Ｐａの外縁Ｐｂから下方に垂直に下がる垂れ出し部Ｐｅ（しばしばフランジと称される。）の下端との間のピッチと略等しいか、これよりやや小さくなるようになっている。（図１）また、取り付け脚部１０の内面１０ａであって掛合面１０ｃと辺シール体１との間には、上下方向に間隔を開けて、二条の弾性リップ１０ｅが形成されている。それぞれの弾性リップ１０ｅはいずれも取り付け脚部１０の内面からその基部を下にし先端を上にするようにして傾斜状に突き出している。図示の例では、上側に位置される弾性リップ１０ｅの突き出し寸法が下側に位置される弾性リップ１０ｅの突き出し寸法よりも大きくなっている。また、閉塞対象となる前記隙間Ｓの巾よりも、辺シール体１の内縁１ｄと外縁１ｃとの間の水平方向の寸法が大きく、また、この隙間Ｓの巾よりも、弾性リップ１０ｅの先端と辺シール体１の外縁１ｃとの間の水平方向の寸法が大きくなるようになっている。
【００２２】
かかる辺シール体１は、プラスチックの押し出し成形によって、断面を一様にした長尺体として得られる。取り付け脚部１０は比較的硬質のプラスチックによって構成され、辺シール体１と弾性リップ１０ｅはこれよりも軟質のプラスチックによって構成される。かかる押し出し成形において両プラスチックを同時に押し出すことで、辺シール体１は前記形状を備えたものとして一体に成形される。
【００２３】
隅シール体２は、浴室内壁Ｗと浴槽上縁面Ｐａにおける前記コーナー部Ｐｃの外縁Ｐｂとの間の隙間Ｓを塞ぐように構成される。したがって、かかる隅シール体２の外縁２ａおよび内縁２ｂはこのコーナー部Ｐｃの外縁Ｐｂに倣って湾曲ないしは屈曲されている。（図２）
【００２４】
また、かかる隅シール体２は、浴室内壁Ｗと、浴槽上縁面Ｐａにおける前記コーナー部Ｐｃを挟んで隣り合う一方の辺部Ｐｄの外縁Ｐｂとの間の辺シール体１の一端１ｅと、
浴室内壁Ｗと、浴槽上縁面Ｐａにおける前記コーナー部Ｐｃを挟んで隣り合う他方の辺部Ｐｄの外縁Ｐｂとの間の辺シール体１の一端１ｅとを、
この隅シール体２を介して一体に接合させるように構成されている。（図２）
【００２５】
図示の例では、かかる隅シール体２は、二つの辺シール体１、1を略直角に接合させるように構成されている。
【００２６】
かかる隅シール体２は、板状をなすように構成されており、辺シール体１の取り付け脚部１０に相当する部分を有していない。また、かかる隅シール体２は、軟質のプラスチックによって構成されている。
【００２７】
かかる隅シール体２の表面２ｃは辺シール体１の表面１ａと略同面上に位置されている。すなわち、辺シール体１の一方の一端１ｅ縁と隅シール体２の一端縁２ｇとの間、および辺シール体１の他方の一端１ｅ縁と隅シール体２の他端縁２ｇとの間には、これらの表面１ａ、２ｃ側においては段差が生じないようになっている。
【００２８】
一方、隅シール体２の裏面２ｄは辺シール体１の裏面１ｂよりも下方に張り出している。また、隅シール体２の裏面２ｄは、その内縁２ｂから辺シール体１の取り付け脚部１０の内面１０ａが位置される箇所までの間に亘る水平面部２ｅと、取り付け脚部１０の外面が位置される箇所と隅シール体２の外縁２ａが位置される箇所との間に亘る傾斜面部２ｆとを備えている。また、隅シール体２は、この水平面部２ｅと傾斜面部２ｆとを備えた延出部２ｈを、辺シール体１の一端１ｅ縁を越えて辺シール体１の裏面１ｂ側に入り込ませ、この延出部２ｈにおいて辺シール体１の一端１ｅ側の裏面に一体化している。すなわち、隅シール体２は、辺シール体１の一端１ｅ側の裏面１ｂを覆うようにして形成されている。
【００２９】
また、隅シール体２の外縁２ａは、辺シール体１の外縁１ｃに沿った仮想の直線ｘよりも外側に位置されるようになっている。図示の例では、二箇所の前記延出部２ｈ、２ｈの間において隅シール体２は辺シール体１よりも幅広に構成されており、この間において隅シール体２の外縁２ａは仮想の直線ｘよりも外側に位置されている。この外縁２ａは湾曲状をなしている。これにより、この実施の形態にあっては、隅シール体２は、前記傾斜面部２ｆの先に外側水平面部２ｉをさらに備えている。（図２、図３）
【００３０】
また、この実施の形態にあっては、隅シール体２の内縁２ｂも、辺シール体１の内縁１ｄに沿った仮想の直線ｙよりも内側に位置されるようになっている。（図２）
【００３１】
そして、かかる隅シール体２は、前記辺シール体１をインサートとしたインサート成形によって形成されている。
【００３２】
かかるシール材Ｍによれば、浴室内壁Ｗと浴槽上縁面Ｐａとの間の隙間Ｓを、浴槽上縁面Ｐａのコーナー部Ｐｃと、このコーナー部Ｐｃを挟んで隣り合う辺部Ｐｂとに亘って同時に塞ぐことができる。シール材Ｍは、辺シール体１の表面１ａと隅シール体２の表面２ｃとに段差が生じないように、また、辺シール体１の一端１ｅと隅シール体２の端縁２ｇとをシール材Ｍの表側において一体化させることができ、両シール体１、２を別体とした場合の両シール体１、２の接合部への汚れの付着などの不具合を生じさせることがない。
【００３３】
図示の例では、先ず、前記隙間Ｓに辺シール体１の取り付け脚部１０を上方から押し込むと、取り付け脚部１０は掛合爪１０ｂの傾斜面１０ｄを浴槽Ｐの垂れ出し部Ｐｅの外面に押し当てて外向きにやや弾性変形される。辺シール体１の裏面１ｂが浴槽上縁面Ｐａに接する位置まで取り付け脚部１０を押し込みきると取り付け脚部１０は弾発して掛合爪１０ｂの掛合面１０ｃが垂れ出し部Ｐｅの下端に掛合される。これにより、前記隙間Ｓは、浴槽上縁面Ｐａのコーナー部Ｐｃと、このコーナー部Ｐｃを挟んで隣り合う辺部Ｐｄとに亘って同時に塞がれる。かかる押し込みにより前記弾性リップ１０ｅは変形して垂れ出し部Ｐｅの外面に押しつけられ取り付け脚部１０の内面１０ａと垂れ出し部Ｐｅの外面との間を水密にシールする。
【００３４】
また、浴槽上縁面Ｐａのコーナー部Ｐｃにおいては、隙間Ｓは隅シール体２によって閉塞され、また、隅シール体２は軟質のプラスチックよりなり、しかも、その外縁２ａを辺シール体１の外縁１ｃよりも外側に位置させていることから、アールを持った浴槽上縁面Ｐａのコーナー部Ｐｃとエッジ状をなす浴室内壁Ｗの内隅（図示は省略する。）との間を適切に塞ぐことができる。
【００３５】
また、隅シール体２は軟質のプラスチックよりなることから、この隅シール体２を介して接合させ合わされている辺シール体１同士のなす角度ないし位置はシール材Ｍの設置が済むまでは固定的ではなく、その設置作業における取り回しなどが容易となる。かかる隅シール体２と辺シール体１とを同一の軟質のプラスチックから構成させておけば、両者の間の風合いを経時的にも維持させることができる。
【００３６】
かかるシール材Ｍは、押し出し成形により得られた辺シール体１を浴槽上縁面Ｐａの辺部Ｐｄの長さに合った長さに成形した後に、この辺シール体１をインサートとした射出成形によって隅シール体２を形成させることで、容易かつ適切に構成させることができる。
【図面の簡単な説明】
【００３７】
【図１】シール材Ｍの使用状態を示した断面図
【図２】シール材Ｍの平面図
【図３】図２におけるＡ−Ａ線断面図
【図４】シール材Ｍの正面図
【図５】図４におけるＢ−Ｂ線断面図
【図６】シール材Ｍの右側面図
【符号の説明】
【００３８】
Ｗ  浴室内壁
Ｐ  浴槽
Ｐａ  浴槽上縁面
Ｐｂ  外縁
Ｐｃ  コーナー部
Ｐｄ  辺部
Ｍ  シール材
１  辺シール体
１ｅ  一端
２  隅シール体
【図１】
0004795850.tif 000002
【図２】
0004795850.tif 000003
【図３】
0004795850.tif 000004
【図４】
0004795850.tif 000005
【図５】
0004795850.tif 000006
【図６】
0004795850.tif 000007